(57)【要約】      （修正有）【課題】長期に亘る使用によるマットレス形状の変形や使い心地の悪化を大幅に改善する折り畳みマットレスと、上記折り畳みマットレスの使用に適する通気性に優れた折り畳みベッドを提供する。【解決手段】上半身側マットレス１０ａと下半身側マットレス１０ｂを、当該各マットレスの隣接する対向端部１２、１２より内方の一側面側で、シート状の連結体１３を介して互いに連結した。一対のベッド枠体４、４間の離間対向する枠隅部の側面を、それぞれ基台７に回動自在に軸支し、ベッド本体５の四隅に位置する各ベッド枠体４、４の枠隅部に回動自在に垂設した支持脚８と基台７を平行リンク９を介してそれぞれ連結した。【選択図】図３
0003105300.tif 000002
【実用新案登録請求の範囲】
【請求項１】
上半身側マットレスと下半身側マットレスを、当該各マットレスの隣接する対向端部より内方の一側面側で、シート状の連結体を介して互いに連結したことを特徴とする折り畳みマットレス。
【請求項２】
内面域にスノコ状の載置面を形成した一対のベッド枠体を水平状に並設してベッド本体を形成し、かつ当該各ベッド枠体間の離間対向する枠隅部の側面を、それぞれ把持部を形成した基台に回動自在に軸支すると共に、上記ベッド本体の四隅に位置する各ベッド枠体の枠隅部に支持脚を回動自在に垂設し、前記基台を挟む前後の支持脚と、当該基台とを各別に平行リンクを介してそれぞれ連結したことを特徴とする折り畳みベッド。
【考案の詳細な説明】
【技術分野】
【０００１】
本考案は折り畳みマットレスとこれを使用する折り畳みベッドに係り、詳しくは、ベッドから下ろすことなくマットレスを無理なく折り畳むことができ、かつ優れた通気性を確保できる折り畳みベッドに関するものである。
【背景技術】
【０００２】
一般に、折り畳みベッドは、上半身側と下半身側のベッド枠体を水平状に並設して形成したベッド本体を、中央位置で水平姿勢から垂直姿勢に起立させることにより折り畳まれるが、この時、ベッド本体上に載置されたマットレスも一緒に逆Ｕ字状に折り畳まれ、ベッドの非使用時は、上記の折り畳み状態で適当な場所に保管するようになっている。
【０００３】
そして、図７に示すように、上記構成の折り畳みベッドに使用されるマットレスＭは、上半身側マットレスａと下半身側マットレスｂを、当該各マットレスａ、ｂの隣接する対向端面の一縁側を互いに連結した接続部位ｃで折り畳むように構成されているため、折り畳みベッドの使用状態で、使用者がベッド上で寝返りを打ったり、身体の移動を行うと、同図（ｃ）に矢印に向く力が作用して、各マットレスａ、ｂの連結していない対向端面の他縁側が引っ張られ、当該端面部位のマットレス形状が変形してしまい、長期に亘る使用で変形状態が固定化されてマットレスの使い心地が悪くなると共に、ベッド本体の中央に位置するパイプフレームｄを中心にベッドを折り畳んだ際や、マットレスを物干しに干すような場合にも、同様に矢印に向く自重力が作用して、各マットレスａ、ｂの連結していない対向端面の他縁側が引っ張られてマットレス形状の変形を誘発してしまう、という改善の余地を残すものであった。
【０００４】
一方、折り畳みマットレスの構成として、以下のものが提案されている。
【特許文献１】特開２００１−１９７９６４このものは、マットレスの厚さ方向両側への折り畳みを可能とした折り畳みマットレスの提案であって、マットレスの表裏面双方に関して折り畳みを可能とするものの、マットレスの隣接する対向端部の一縁側と他縁側を相互に連結して接続部位としているため、依然として、長期に亘る使用によるマットレス形状の変形、使い心地の悪化を改善するには至らないものであった。
【考案の開示】
【考案が解決しようとする課題】
【０００５】
本考案は叙上の如き実状に鑑み、全く新しい構想に基づいて創案されたものであって、その意図するところは、従来の折り畳みマットレスの構成では不可避であった長期に亘る使用によるマットレス形状の変形や使い心地の悪化を大幅に改善する折り畳みマットレスを提供すると共に、上記折り畳みマットレスの使用に適する通気性に優れた折り畳みベッドを提供することを課題とする。
【課題を解決するための手段】
【０００６】
上記課題を解決するため、本考案が採用した第１の技術手段は、上半身側マットレスと下半身側マットレスを、当該各マットレスの隣接する対向端部より内方の一側面側で、シート状の連結体を介して互いに連結したことを特徴とするものである。
【０００７】
本考案が採用した第２の技術手段は、内面域にスノコ状の載置面を形成した一対のベッド枠体を水平状に並設してベッド本体を形成し、かつ当該各ベッド枠体間の離間対向する枠隅部の側面を、それぞれ把持部を形成した基台に回動自在に軸支すると共に、上記ベッド本体の四隅に位置する各ベッド枠体の枠隅部に支持脚を回動自在に垂設し、前記基台を挟む前後の支持脚と、当該基台とを各別に平行リンクを介してそれぞれ連結したことを特徴とするものである。
【考案の効果】
【０００８】
したがって、本考案によれば、折り畳みマットレスを構成する上半身側マットレスと下半身側マットレスは、当該各マットレスを水平状に並設した際と、折り畳み状態において、隣接する対向端部が自由端としてそれぞれ保持されているので、接続部位での引っ張りによるマットレス端部の形状変形を未然に防止することができ、ベッド本体の折り畳み構造の違いや、折り幅の大小に左右されることなく、多種多様な折り畳みベッド構造に対し、同一の折り畳みマットレスを柔軟に対応させて当該折り畳みマットレスをベッド上に載置したままで折り畳み可能とすることができると共に、スノコ状の載置面を形成したベッド枠体の採用により、通気性に優れた寝心地を使用者に提供することができ、折り畳みベッドとしての快適性と利便性を容易に得ることが可能となる。
【考案を実施するための最良の形態】
【０００９】
本考案の構成を、図面に示した一実施の形態に基づいて詳細に説明する。図１および図２において、１は床面２上に載置された木製の折り畳みベッドであって、該折り畳みベッド１は、内面域にスノコ状の載置面３、３を形成した一対のベッド枠体４、４を水平状に並設してベッド本体５を形成し、かつ当該各ベッド枠体４、４間の離間対向する枠隅部の側面を、把持部６、６をそれぞれ形成した基台７、７に回動自在に軸支して構成されると共に、上記ベッド本体５の四隅に位置する各ベッド枠体４、４の枠隅部には、木製平板で形成された支持脚８、８…が回動自在にそれぞれ垂設され、かつ上記基台７、７を挟む前後の支持脚８、８は、当該基台７との間で各別に平行リンク９、９を介してそれぞれ連結されて折り畳みベッド１が構成されている。
【００１０】
また、図３（ａ）に示すように、上記ベッド本体５の上面、すなわち水平状に並設された各ベッド枠体４、４の載置面３、３には折り畳みマットレス１０が載置されており、更にその上面にカバー体１１を上掛けすることにより使用者Ａがベッドとして使用し、また非使用時には、同図（ｂ）に示すように、基台７の把持部６を把持して上方に持ち上げ操作することにより、折り畳みベッド１は当該基台７、７の位置で折り畳まれながら、平行リンク９、９を介して回動する支持脚８、８…が支持姿勢を保持したまま、折り畳まれたベッド本体５を起立状態で支持する構成となっている。
【００１１】
一方、前記折り畳みマットレス１０は、図４および図５に示すように、上半身側マットレス１０ａと下半身側マットレス１０ｂとからなり、当該各マットレス１０ａ、１０ｂを、水平状態で隣接する対向端部１２、１２より内方の一側面側（実施の形態では裏面側）において、シート状の幅広布で形成された連結体１３を介して縫合位置１４で連結することにより折り畳みマットレス１０が構成されている。
【００１２】
本考案は叙上の如く構成されているから、折り畳みベッド１の使用に際しては、各ベッド枠体４、４に形成したスノコ状の載置面３、３に折り畳みマットレス１０を載置するので、通気性に優れた寝心地を使用者Ａに提供することができ、折り畳みベッドとしての快適性と利便性を容易に得ることが可能となる。
【００１３】
また、ベッド本体５上に折り畳みマットレス１０を載置したままの状態で折り畳むと、図５（ｂ）および図６（ａ）に示すように、基台７、７に軸支した各ベッド枠体４、４の基端側間の折り幅で連結体１３を介して、折り畳みマットレス１０が上半身側マットレス１０ａと下半身側マットレス１０ｂに分けられて折り畳まれることになる。
【００１４】
この時、折り畳み状態における上記各マットレス１０ａ、１０ｂの自重は連結体１３の縫合位置１４に掛かるため、当該各マットレス１０ａ、１０ｂは、その対向端部１２、１２が同図に示すように自由端となり、従来のように、接続部位での引っ張りにより発生していたマットレス端部の形状変形が未然に防止され、ベッド枠体４、４の折り畳み動作に追従して、折り畳みマットレス１０も無理な外力を要することなく円滑に折り畳まれる。
【００１５】
また、折り畳みベッドの構造上の違いで、ベッド本体の中央に位置するパイプフレームを中心にベッドを折り畳む場合、あるいは、マットレスを物干しパイプに干すような場合にも、図６（ｂ）に示すように、パイプＰに連結体１３が係止された状態で折り畳まれるので、前述と同じく、各マットレス１０ａ、１０ｂの自重は連結体１３の縫合位置１４に掛かり、当該各マットレス１０ａ、１０ｂの対向端部１２、１２には自重力が作用せずに、折り畳みマットレス１０の形状変形を防止することができる。
【産業上の利用可能性】
【００１６】
本考案の折り畳みマットレスの構成は、折り畳みベッドに限らず和式の寝装具に使用するマットレスにも利用可能である。
【図面の簡単な説明】
【００１７】
【図１】本考案に係る折り畳みベッドの全体側面図である。
【図２】（ａ）はベッド本体の平面図、（ｂ）は同上側面図である。
【図３】（ａ）はベッド本体、折り畳みマットレスおよびカバー体の配置を示す平面図、（ｂ）は同上側面図、（ｃ）はベッド本体の折り畳み状態を示す側面図である。
【図４】（ａ）は折り畳みマットレスの平面図、（ｂ）は同上側面図、（ｃ）は同上底面図である。
【図５】（ａ）は折り畳みマットレスの一部省略要部拡大側面図、（ｂ）は折り畳み状態を示す同上側面図である。
【図６】（ａ）は折り畳みマットレスを載置した状態で折り畳まれた折り畳みベッドの要部拡大側面図、（ｂ）は他の折り畳み状態を示す同上側面図である。
【図７】（ａ）〜（ｄ）は従来の折り畳みマットレスおよびその折り畳み動作を示す説明図である。
【符号の説明】
【００１８】
１      折り畳みベッド
３      載置面
４      ベッド枠体
６      把持部
７      基台
８      支持脚
９      平行リンク
１０    折り畳みマットレス
１０ａ  上半身側マットレス
１０ｂ  下半身側マットレス
１２    対向端部
１３    連結体
【図１】
0003105300.tif 000003
【図２】
0003105300.tif 000004
【図３】
0003105300.tif 000005
【図４】
0003105300.tif 000006
【図５】
0003105300.tif 000007
【図６】
0003105300.tif 000008
【図７】
0003105300.tif 000009